(57)【要約】電力が制限された無線デバイスの１または複数のチャネルの送信電力を調節するための技術が開示される。必要とされる送信電力が、例えば再送信フィードバック・チャネルのような１または複数の制御チャネルに割り当てられ、残りの送信電力が、その他の制御チャネルおよび／またはデータ・チャネル間で割り当てられうる。送信電力は、チャネルのための必要送信電力からの低減にしたがって、チャネルに割り当てられた送信電力をスケールするための電力係数にしたがって、あるいはその他にしたがって、別の制御チャネルおよび／またはデータ・チャネル間に割り当てられうる。
2013518470.tif 000002
【特許請求の範囲】
【請求項１】
無線通信における送信電力を調節するための方法であって、
複数のチャネルのうちの１または複数の、必要とされる送信電力を決定することと、
前記複数のチャネルの電力係数のセットを決定することと、
前記電力係数のセットに少なくとも部分的に基づいて、前記複数のチャネルのうちの１または複数のうちの少なくとも１つの、前記必要とされる送信電力を調節することと、
を備える方法。
【請求項２】
前記電力係数のセットは、
前記複数のチャネルにおける少なくとも１つの制御チャネルへ、実質的に全ての必要とされる送信電力を提供することを示す、前記少なくとも１つの制御チャネルのための電力係数と、
前記複数のチャネルにおける少なくとも１つのデータ・チャネルのために、前記必要とされる送信電力よりも小さな送信電力部分を提供することを示す、前記少なくとも１つのデータ・チャネルのための別の電力係数とを備え、
前記必要とされる送信電力を調節することは、前記別の電力係数にしたがって、少なくとも、前記少なくとも１つのデータ・チャネルのために、前記必要とされる送信電力を調節することを含む、請求項１に記載の方法。
【請求項３】
前記電力係数は、前記複数のチャネルにおけるハイブリッド自動反復／要求フィードバック・チャネルへ、実質的に全ての必要とされる送信電力を提供することを示す、請求項２に記載の方法。
【請求項４】
前記電力係数のセットは、前記複数のチャネルにおける制御チャネルの残りの部分のために、送信電力の一部を提供することを示し、前記送信電力の一部は、前記小さな送信電力部分よりも大きい、請求項２に記載の方法。
【請求項５】
前記複数のチャネルは、複数のキャリアに対応する、請求項１に記載の方法。
【請求項６】
前記複数のチャネルの電力係数のセットを決定することは、ハイブリッド自動反復／要求（ＨＡＲＱ）フィードバック・チャネル、１または複数のチャネル状態情報（ＣＳＩ）チャネル、またはＨＡＲＱフィードバックと１または複数のＣＳＩチャネルとの組み合わせ、を備える１または複数の制御チャネルのための電力係数のセットを決定することを含む、請求項１に記載の方法。
【請求項７】
無線通信における送信電力を調節するための装置であって、
複数のチャネルのうちの１または複数の、必要とされる送信電力を決定し、
前記複数のチャネルの電力係数のセットを取得し、
前記電力係数のセットに少なくとも部分的に基づいて、前記複数のチャネルのうちの１または複数のうちの少なくとも１つの、前記必要とされる送信電力を調節する
ように構成された少なくとも１つのプロセッサと、
前記少なくとも１つのプロセッサに接続されたメモリと、
を備える装置。
【請求項８】
前記電力係数のセットは、
前記複数のチャネルにおける少なくとも１つの制御チャネルへ、実質的に全ての必要とされる送信電力を提供することを示す、前記少なくとも１つの制御チャネルのための電力係数と、
前記複数のチャネルにおける少なくとも１つのデータ・チャネルのために、前記必要とされる送信電力よりも小さな送信電力部分を提供することを示す、前記少なくとも１つのデータ・チャネルのための別の電力係数とを備え、
前記少なくとも１つのプロセッサは、前記別の電力係数に少なくとも部分的に基づいて、前記少なくとも１つのデータ・チャネルの、必要とされる送信電力を調節する、請求項７に記載の装置。
【請求項９】
前記電力係数は、前記複数のチャネルにおけるハイブリッド自動反復／要求フィードバック・チャネルへ、実質的に全ての必要とされる送信電力を提供することを示す、請求項８に記載の装置。
【請求項１０】
前記電力係数のセットは、前記複数のチャネルにおける制御チャネルの残りの部分のために、送信電力の一部を提供することを示し、前記送信電力の一部は、前記小さな送信電力部分よりも大きい、請求項８に記載の装置。
【請求項１１】
前記複数のチャネルは、複数のキャリアに対応する、請求項７に記載の装置。
【請求項１２】
前記複数のチャネルは、ハイブリッド自動反復／要求（ＨＡＲＱ）フィードバック・チャネル、１または複数のチャネル状態情報（ＣＳＩ）チャネル、またはＨＡＲＱフィードバックと１または複数のＣＳＩチャネルとの組み合わせ、を備える１または複数の制御チャネルを含む、請求項７に記載の装置。
【請求項１３】
無線通信における送信電力を調節するための装置であって、
複数のチャネルのうちの１または複数の、必要とされる送信電力を決定する手段と、
前記複数のチャネルの電力係数のセットを決定する手段と、
前記電力係数のセットに少なくとも部分的に基づいて、前記複数のチャネルのうちの１または複数のうちの少なくとも１つの、前記必要とされる送信電力を調節する手段と、
を備える装置。
【請求項１４】
前記電力係数のセットは、
前記複数のチャネルにおける少なくとも１つの制御チャネルへ、実質的に全ての必要とされる送信電力を提供することを示す、前記少なくとも１つの制御チャネルのための電力係数と、
前記複数のチャネルにおける少なくとも１つのデータ・チャネルのために、前記必要とされる送信電力よりも小さな送信電力部分を提供することを示す、前記少なくとも１つのデータ・チャネルのための別の電力係数とを備え、
前記調節する手段は、前記別の電力係数に少なくとも部分的に基づいて、前記少なくとも１つのデータ・チャネルの、必要とされる送信電力を調節する、請求項１３に記載の装置。
【請求項１５】
前記電力係数は、前記複数のチャネルにおけるハイブリッド自動反復／要求フィードバック・チャネルへ、実質的に全ての必要とされる送信電力を提供することを示す、請求項１４に記載の装置。
【請求項１６】
前記電力係数のセットは、前記複数のチャネルにおける制御チャネルの残りの部分のために、送信電力の一部を提供することを示し、前記送信電力の一部は、前記小さな送信電力部分よりも大きい、請求項１４に記載の装置。
【請求項１７】
前記複数のチャネルは、複数のキャリアに対応する、請求項１３に記載の装置。
【請求項１８】
前記複数のチャネルは、ハイブリッド自動反復／要求（ＨＡＲＱ）フィードバック・チャネル、１または複数のチャネル状態情報（ＣＳＩ）チャネル、またはＨＡＲＱフィードバックと１または複数のＣＳＩチャネルとの組み合わせ、を備える１または複数の制御チャネルを含む、請求項１３に記載の装置。
【請求項１９】
無線通信における送信電力を調節するためのコンピュータ・プログラム製品であって、
少なくとも１つのコンピュータに対して、複数のチャネルのうちの１または複数の、必要とされる送信電力を決定させるためのコードと、
前記少なくとも１つのコンピュータに対して、前記複数のチャネルの電力係数のセットを取得させるためのコードと、
前記少なくとも１つのコンピュータに対して、前記電力係数のセットに少なくとも部分的に基づいて、前記複数のチャネルのうちの１または複数のうちの少なくとも１つの、必要とされる送信電力を調節させるためのコードと、
を備えるコンピュータ読取可能な媒体、を備えるコンピュータ・プログラム製品。
【請求項２０】
前記電力係数のセットは、
前記複数のチャネルにおける少なくとも１つの制御チャネルへ、実質的に全ての必要とされる送信電力を提供することを示す、前記少なくとも１つの制御チャネルのための電力係数と、
前記複数のチャネルにおける少なくとも１つのデータ・チャネルのために、前記必要とされる送信電力よりも小さな送信電力部分を提供することを示す、前記少なくとも１つのデータ・チャネルのための別の電力係数とを備え、
前記少なくとも１つのコンピュータに対して調節させるためのコードは、前記別の電力係数に少なくとも部分的に基づいて、前記少なくとも１つのデータ・チャネルの、必要とされる送信電力を調節する、請求項１９に記載のコンピュータ・プログラム製品。
【請求項２１】
前記電力係数は、前記複数のチャネルにおけるハイブリッド自動反復／要求フィードバック・チャネルへ、実質的に全ての必要とされる送信電力を提供することを示す、請求項２０に記載のコンピュータ・プログラム製品。
【請求項２２】
前記電力係数のセットは、前記複数のチャネルにおける制御チャネルの残りの部分のために、送信電力の一部を提供することを示し、前記送信電力の一部は、前記小さな送信電力部分よりも大きい、請求項２０に記載のコンピュータ・プログラム製品。
【請求項２３】
前記複数のチャネルは、複数のキャリアに対応する、請求項１９に記載のコンピュータ・プログラム製品。
【請求項２４】
前記複数のチャネルは、ハイブリッド自動反復／要求（ＨＡＲＱ）フィードバック・チャネル、１または複数のチャネル状態情報（ＣＳＩ）チャネル、またはＨＡＲＱフィードバックと１または複数のＣＳＩチャネルとの組み合わせ、を備える１または複数の制御チャネルを含む、請求項１９に記載のコンピュータ・プログラム製品。
【請求項２５】
無線通信における送信電力を調節するための装置であって、
複数のチャネルのうちの１または複数の、必要とされる送信電力を決定するための必要チャネル電力決定構成要素と、
前記複数のチャネルの電力係数のセットを取得するための電力係数決定構成要素と、
前記電力係数のセットに少なくとも部分的に基づいて、前記複数のチャネルのうちの１または複数のうちの少なくとも１つの、必要とされる送信電力を調節するための電力調節構成要素と、
を備える装置。
【請求項２６】
前記電力係数のセットは、
前記複数のチャネルにおける少なくとも１つの制御チャネルへ、実質的に全ての必要とされる送信電力を提供することを示す、前記少なくとも１つの制御チャネルのための電力係数と、
前記複数のチャネルにおける少なくとも１つのデータ・チャネルのために、前記必要とされる送信電力よりも小さな送信電力部分を提供することを示す、前記少なくとも１つのデータ・チャネルのための別の電力係数とを備え、
前記電力調節構成要素は、前記別の電力係数に少なくとも部分的に基づいて、前記少なくとも１つのデータ・チャネルの、必要とされる送信電力を調節する、請求項２５に記載の装置。
【請求項２７】
前記電力係数は、前記複数のチャネルにおけるハイブリッド自動反復／要求フィードバック・チャネルへ、実質的に全ての必要とされる送信電力を提供することを示す、請求項２６に記載の装置。
【請求項２８】
前記電力係数のセットは、前記複数のチャネルにおける制御チャネルの残りの部分のために、送信電力の一部を提供することを示し、前記送信電力の一部は、前記小さな送信電力部分よりも大きい、請求項２６に記載の装置。
【請求項２９】
前記複数のチャネルは、複数のキャリアに対応する、請求項２５に記載の装置。
【請求項３０】
前記複数のチャネルは、ハイブリッド自動反復／要求（ＨＡＲＱ）フィードバック・チャネル、１または複数のチャネル状態情報（ＣＳＩ）チャネル、またはＨＡＲＱフィードバックと１または複数のＣＳＩチャネルとの組み合わせ、を備える１または複数の制御チャネルを含む、請求項２５に記載の装置。
【発明の詳細な説明】
【優先権主張】
【０００１】
本願は、２０１０年１月２１日に出願され、本願の譲受人に譲渡され、「アップリンク送信のためのチャネル優先付けおよび電力スケーリング」（CHANNEL PRIORITIZATION AND POWER SCALING FOR UPLINK TRANSMISSION）と題され、本明細書において参照によって明確に組み込まれた米国仮出願６１／２９７，２４５の優先権を主張する。
【技術分野】
【０００２】
以下の説明は、一般に、無線通信に関し、さらに詳しくは、通信チャネルを優先付け、電力スケーリングすることに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
さらに、ＬＴＥシステムでは、複数の論理チャネルを介して基地局と通信しうる。論理チャネルは、例えば、物理アップリンク共有チャネル（ＰＵＳＣＨ）、再送信フィードバックや、チャネル状態情報等をレポートするための制御チャネルのように、物理アップリンク制御チャネル（ＰＵＣＣＨ）および／またはその他のようなデータ・チャネルに関連する。再送信フィードバック・データ（例えば、ハイブリッド自動反復／要求（ＨＡＲＱ）フィードバック）や、チャネル状態情報（例えば、チャネル品質インジケータ（ＣＱＩ）、マルチキャリア通信のためのランク・インジケータ（ＲＩ）、プリコーディング行列インデクス（ＰＭＩ）、サウンディング基準信号（ＳＲＳ））のようなデータを送信するためのチャネルもまた使用されうる。
【発明の概要】
【０００６】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、情報を、後に示されるより詳細な記載に対する前置きとして、より簡単な形式で表すことである。
【０００７】
１または複数の実施形態および対応する開示にしたがって、さまざまな態様が、電力が制限されたデバイスのための制御チャネルおよびデータ・チャネルの送信電力を調節することに関連して記載される。例えば、電力が制限されたデバイスにおける制御チャネルおよびデータ・チャネルを効果的に優先付けるために、制御チャネルおよび／またはデータ・チャネルのために、電力係数のセットが定義されるか、あるいは、指定されうる。一例において、デバイスによって利用される１または複数のキャリアによる再送信フィードバック・チャネルに、実質的な全必要電力が割り当てられうる。一方、１または複数の他の制御チャネルおよび／またはデータ・チャネルに、必要電力の一部が割り当てられる。これは、１または複数の低い優先度のチャネルよりも、チャネルについて必要とされる電力がより近い電力を用いて、より高い優先度のチャネルが送信されること保証しうる。
【０００８】
例によれば、複数のチャネルのうちの１または複数の必要とされる電力を決定することと、複数のチャネルの電力係数のセットを決定することと含む、無線通信における送信電力を調節する方法が提供される。この方法はさらに、電力係数のセットに少なくとも部分的に基づいて、複数のチャネルのうちの１または複数のうちの少なくとも１つの必要とされる電力を調節することを含む。
【０００９】
別の態様では、複数のチャネルのうちの１または複数の必要とされる電力を決定し、複数のチャネルの電力係数のセットを取得する、ように構成された少なくとも１つのプロセッサを含む、無線通信における送信電力を調節する装置が提供される。少なくとも１つのプロセッサはさらに、電力係数のセットに少なくとも部分的に基づいて、複数のチャネルのうちの１または複数のうちの少なくとも１つの必要とされる電力を調節するように構成される。さらに、この装置は、少なくとも１つのプロセッサに接続されたメモリを含む。
【００１０】
また別の態様では、複数のチャネルのうちの１または複数の必要とされる電力を決定する手段と、複数のチャネルの電力係数のセットを決定する手段とを含む、無線通信における送信電力を調節する装置が提供される。この装置はさらに、電力係数のセットに少なくとも部分的に基づいて、複数のチャネルのうちの１または複数のうちの少なくとも１つの必要とされる電力を調節する手段を含む。
【００１１】
別の態様では、少なくとも１つのコンピュータに対して、複数のチャネルのうちの１または複数のために必要とされる電力を決定させるためのコードと、少なくとも１つのコンピュータに対して、複数のチャネルの電力係数のセットを取得させるためのコードと、を有するコンピュータ読取可能な媒体を含む、無線通信における送信電力を調節するためのコンピュータ・プログラム製品が提供される。このコンピュータ読取可能な媒体はさらに、少なくとも１つのコンピュータに対して、電力係数のセットに少なくとも部分的に基づいて、複数のチャネルのうちの１または複数のうちの少なくとも１つの必要とされる電力を調節させるためのコードを含む。
【００１２】
さらに、態様では、複数のチャネルのうちの１または複数の必要とされる電力を決定するための必要チャネル電力決定構成要素と、複数のチャネルの電力係数のセットを取得するための電力係数決定構成要素と、を含む、無線通信における送信電力を調節する装置が提供される。この装置はさらに、電力係数のセットに少なくとも部分的に基づいて、複数のチャネルのうちの１または複数のうちの少なくとも１つの必要とされる電力を調節するための電力調節構成要素を含む。
【００１３】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１４】
開示された態様は、以下において、同一符号が同一要素を示す添付図面と連携して説明され、開示された態様を、限定することなく、例示するために提供される。
【図１】図１は、１または複数のチャネルに送信電力を割り当てるためのシステムの例を例示する。
【図２】図２は、電力が制限されたデバイスの１または複数のチャネルのための送信電力を調節するためのシステムの例を例示する。
【図３】図３は、電力係数のセットにしたがって、１または複数のチャネルの送信電力を調節する方法の例を例示する。
【図４】図４は、１または複数のチャネルに送信電力を割り当てる方法の例を例示する。
【図５】図５は、電力係数のセットにしたがって、１または複数のチャネルの送信電力を調節することを容易にするモバイル・デバイスの例を例示する。
【図６】図６は、１または複数のチャネルの送信電力を調節するためのシステムの例を例示する。
【図７】図７は、本明細書に記載されたさまざまな態様にしたがう無線通信システムの例を例示する。
【図８】図８は、本明細書に記載されたさまざまなシステムおよび方法と共に適用されうる無線ネットワーク環境の例を例示する。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１６】
本明細書にさらに記載されるように、１または複数のチャネルを優先付けるために、電力が制限されたデバイスの送信電力が割り当てられうる。一例では、１または複数のチャネルを送信するために適用する電力量を決定するために、電力係数のセットが定義または指定されうる。一例では、１または複数のキャリアによる再送信フィードバック・チャネルが、最も高い優先度となりうるので、最も高い係数に関連付けられうる。この点に関し、再送信フィードバック・チャネルに、実質的な全必要電力が与えられ、残りの電力は、係数のセットにしたがって、残りのチャネル間で共有されうる。したがって、チャネルの通信は、係数にしたがって効率的に優先付けられ、いくつかのチャネルは、実質的な全必要電力を受信しうる。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００１８】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ＤＬではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記述されている。さらに、ｃｄｍａ２０００およびＵＭＢは、「第３世代パートナシップ計画２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２１】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２２】
図１を参照して、利用可能な送信電力を割り当てるための１または複数の倫理チャネルを優先付けることを容易にする無線通信システム１００が例示される。システム１００は、（例えば、無線ネットワークへのアクセスを受信するために）基地局１０４と通信しうるデバイス１０２を含む。例えば、デバイス１０２は、ＵＥ、モデム（または、その他のテザー・デバイス）、これらの一部、または、無線ネットワークにおける１または複数の基地局またはその他のデバイスと通信しうる実質的に任意のデバイスでありうる。さらに、基地局１０４は、マクロ・セルまたはフェムト・セルまたはピコ・セルの基地局、中継ノード、モバイル基地局、（例えば、ピア・トゥ・ピアまたはアド・ホック・モードでデバイス１０２と通信している）モバイル・デバイス、これらの一部等でありうる。
【００２３】
デバイス１０２は、利用可能な送信電力を、優先度にしたがって論理チャネルに割り当てる電力割当構成要素１０６と、割り当てられた送信電力にしたがって、論理チャネルでデータを送信する送信構成要素１０８と、を含む。利用可能なチャネルは、例えば、物理アップリンク制御チャネル（ＰＵＣＣＨ）、物理アップリンク共有チャネル（ＰＵＳＣＨ）等を含みうる。例えば、ＰＵＣＣＨのために利用可能なチャネルは、再送信フィードバック・チャネル（例えば、ハイブリッド自動反復／要求（ＨＡＲＱ）フィードバック、またはその他のインジケータ・チャネル）、チャネル状態情報（ＣＳＩ）チャネル（例えば、チャネル品質インジケータ（ＣＱＩ）チャネル、ＨＡＲＱ／ＣＱＩが結合されたチャネル、サウンディング基準信号（ＳＲＳ）チャネル、プリコーディング行列インデクス（ＰＭＩ）チャネル、マルチキャリア送信のためのランク・インジケータ（ＲＩ）チャネル等）、これらの組み合わせおよび／またはその他を含みうる。さらに、チャネルは、これらチャネルを介してデータまたは制御データを受信するために、基地局１０４によってデバイス１０２へ割り当てられうる。
【００２４】
一例では、デバイス１０２が電力制御されている場合、電力割当構成要素１０６は、データ・チャネルよりも制御チャネルに対して、電力割当を優先付けうる（例えば、および／または、その他の制御チャネルよりも、制御チャネル間のＨＡＲＱチャネルを優先付けうる）。電力制限とは、チャネルのために必要とされる送信電力ですべてのチャネルを送信するために利用可能な十分な送信電力を持たない（例えば、１または複数のキャリアにおけるすべてのチャネルのために必要とされる送信電力の総和が、デバイス１０２に利用可能な送信電力よりも高い）デバイス１０２を称しうる。
【００２５】
電力割当構成要素１０６は、本明細書に記載されているように、１または複数の電力割当スキーム、電力係数のセット、および／または、その他に基づいて、残りのチャネルを優先付けうる。例えば、この情報は、設定または別のデバイス、ハードコーディングから受信されうるか、仕様および／またはその他から決定されうる。電力割当構成要素１０６は、利用可能な送信電力の一部を、例えば、優先度にしたがって、チャネルへ割り当てうる。１つの特定の例では、電力割当構成要素１０６は、ＨＡＲＱチャネルで送信するために必要とされるのと同じ量の送信電力を割り当てうる。ＨＡＲＱチャネルのために必要とされる送信電力が、デバイス１０２において利用可能な最大送信電力よりも高い場合、電力割当構成要素１０６は、例えば、ＨＡＲＱチャネルを送信するために利用可能な最大の送信電力を割り当てうる。
【００２６】
例によれば、デバイス１０２は、（例えば、チャネルを受信する基地局１０４からの以前の送信および／または電力調節コマンドに基づいて、）チャネルを送信するために必要とされる送信電力量を受信または決定しうる。ＨＡＲＱチャネルが、デバイス１０２において利用可能な最大の送信電力よりも多くを必要としない場合、電力割当構成要素１０６は、必要とされる電力をＨＡＲＱチャネルに割り当て、残りのチャネルにわたって、残りの送信電力を分配しうる。一例では、電力割当構成要素１０６は、１または複数の割当スキームにしたがって、残りのチャネルに送信電力を分配しうる。一例では、電力割当構成要素１０６は、１または複数のスケーリング係数および／またはその他にしたがって、残りの各チャネルに、同様の相対電力低減を適用するために、残りの送信電力を分配しうる（例えば、ここで、電力低減は、所与のチャネルのために必要とされる送信電力未満である送信電力に関連する）。
【００２７】
別の例では、電力割当構成要素１０６は、実質的に全ての必要とされる送信電力をＨＡＲＱチャネルに割り当てた後、同様に、必要とされる電力を、残りの制御チャネルに分配し、その後、送信電力が残っているのであれば、低減された送信電力を、データ・チャネルへ分配しうる。残りの制御チャネルの必要とされる電力を満足するために十分な送信電力がない場合、電力割当構成要素１０６は、一定の電力低減にしたがって、送信電力を割り当てうる。これによって、各制御チャネルは、チャネルへの送信電力を低減するための電力係数のセット、および／または、その他にしたがって、同様の電力低減を有するようになる。送信構成要素１０８は、電力割当構成要素１０６によって割り当てられた送信電力にしたがって、チャネルによってデータを送信しうる。
【００２８】
別の例では、デバイス１０２は、複数のキャリアによって基地局１０４（例えば、または１または複数の異なる基地局）と通信するマルチキャリア・デバイスでありうる。この例では、デバイス１０２は、例えば複数のＰＵＣＣＨ、複数のＰＵＳＣＨ、および／または、その他のような所与のチャネルの複数のインスタンスによって送信しうる。この点に関し、電力割当構成要素１０６は、先ず、各キャリアのために、実質的にすべてのＨＡＲＱチャネルを優先付けうる。そして、最初に、ＨＡＲＱチャネルのすべてに対して、必要とされる電力を割り当てうる。ここで、デバイス１０２は、ＨＡＲＱチャネルの送信電力要件を満たすために十分な送信電力を有している。電力割当構成要素１０６は、前述したように、（例えば、残りのチャネルに対する同様の送信電力低減を保証すること、まず電力要件を満足することを試みるために、送信電力を制御チャネルへ割り当てること、チャネルに関連付けられた１または複数の電力係数にしたがって送信電力を割り当てること、等によって）残りのチャネルに、残りの送信電力を分配しうる。
【００２９】
デバイス１０２が、ＨＡＲＱチャネルの要件を満たすために利用可能な十分な送信電力を有していない場合、電力割当構成要素１０６は、１または複数の優先付けにしたがって、ＨＡＲＱチャネルへ送信電力を割り当てうる。例えば、電力割当構成要素１０６は、利用可能な送信電力を複数のＨＡＲＱチャネルへ一様に割り当てうるか、または、利用可能な送信電力を、各ＨＡＲＱチャネルのために必要とされる電力にしたがって比例的に割り当てうる。別の例では、電力割当構成要素１０６は、必要とされる電力で、最大数のＨＡＲＱチャネルが送信されることを保証するように、送信電力を割り当てうる。これによって、高い優先度であると判定されたあるデバイスが、必要とされる電力でＨＡＲＱを受信することと、各ＨＡＲＱチャネルが、必要とされる電力に対して同様な電力低減を有すること等ができるようになる。
【００３０】
図２に移って、電力が制限されたデバイスの１または複数のチャネルに関連する送信電力を調節する無線通信システム２００の例が図示されている。システム２００は、（例えば、無線ネットワークへアクセスするために）基地局２０４と通信するデバイス２０２を含みうる。記載されているように、デバイス２０２は、ＵＥ、モデム等でありうる。そして、基地局２０４は、マクロ・セル基地局、フェムト・セル基地局、ピコ・セル基地局等でありうる。デバイス２０２は、デバイス２０２が電力が制限されているかを識別しうる電力制限判定構成要素２０６と、１または複数のデータ・チャネルまたは制御チャネルのために必要とされる電力を決定する必要チャネル電力決定構成要素２０８と、１または複数のデータ・チャネルまたは制御チャネルのための電力係数のセットを取得するオプションの電力係数決定構成要素２１０とを備える。デバイス２０２はまた、電力係数のセットにおいて対応する電力係数に少なくとも部分的に基づいて、１または複数のチャネルのための送信電力を修正する電力調節構成要素２１２と、修正された送信電力にしたがって、１または複数のチャネルでデータを送信する送信構成要素２１４と、を備える。
【００３１】
例によれば、電力制限判定構成要素２０６は、デバイス２０２が電力制限されているかを識別しうる。例えば、必要チャネル電力決定構成要素２０８は、１または複数のチャネルによって送信するために必要とされる電力を取得しうる。これは、基地局２０４から受信した１または複数のパラメータ（例えば、電力制御コマンド）、設定または１または複数のその他のデバイスから取得されたパラメータ、および／または、その他に少なくとも部分的に基づきうる。デバイス２０２が電力制限されているかを判定するために、電力制限判定構成要素２０６は、１または複数のチャネルで送信するために必要とされる電力を総和し、デバイス２０２において利用可能な送信電力が、１または複数のチャネルのために総和された、必要とされる電力以上であるかを判定しうる。デバイス２０２が電力制限されている場合（例えば、デバイス２０２において利用可能な送信電力が、１または複数のチャネルについて総和された送信電力未満である場合）、送信電力は、電力係数のセットにしたがって、１または複数のチャネルについて調節されうる。
【００３２】
この例では、電力調節構成要素２１２は、１または複数の電力調節スキームにしたがって、１または複数のチャネルのための送信電力を調節しうる。例えば、電力調節構成要素２１２は、１または複数の制御チャネルのための送信電力を調節することを差し控えうる。これによって、１または複数の制御チャネルは、必要チャネル電力決定構成要素２０８によって決定された、必要とされる電力を用いて送信できるようになる。したがって、電力調節構成要素２１２は、残りの送信電力を、電力係数のセットおよび／またはその他にしたがって、データ・チャネルにわたって分配しうる。これは、データ・チャネルにわたる一定の相対電力低減を保証するために、送信電力を分配することを含みうる。一例において、デバイス２０２は、複数のキャリアで通信しうる。そして、この場合、電力調節構成要素２１２は、すべてのキャリアにおける制御チャネルについて送信電力を調節することを差し控えうる。そして、すべてのキャリアのために、データ・チャネルに残りの送信電力を分配すること等を行いうる。
【００３３】
さらに、追加の例または代替例では、電力調節構成要素２１２は、１または複数のＨＡＲＱフィードバック・チャネルが、必要とされる電力で送信できるように、制御チャネル内で、１または複数のＨＡＲＱフィードバック・チャネル（例えば、複数のキャリアのための実質的にすべてのＨＡＲＱフィードバック・チャネル）への送信電力を調節することを差し控えうる。この例では、電力調節構成要素２１２は、残りの制御チャネルにわたって、（例えば、一様に、各チャネルが同様の相対電力低減を持つように、または、電力係数にしたがって）残りの送信電力のうちの少なくとも一部を分配しうる。そして、１または複数のデータ・チャネルへ同様に送信電力を分配しうる。
【００３４】
また別の例では、電力係数決定構成要素２１０は、１または複数のチャネルのための電力係数のセットを取得しうる。そして、電力調節構成要素２１２は、必要チャネル電力決定構成要素２０８によって決定されたように、１または複数のチャネルのために必要とされる電力を、電力係数のセットによって修正しうる。例えば、電力係数のセットは、送信電力を生成するために、必要とされる電力が乗じられうる０乃至１の実数に関連しうる。この例では、１である電力係数を持つチャネルが、そのチャネルのために必要とされる電力で送信され、０．８である電力係数を持つチャネルが、必要とされる電力の８０％で送信されうる等である。さらに、例えば、送信構成要素２１４は、電力係数のセットにおけるそれぞれの電力係数によって修正された、必要とされる電力にしたがって、１または複数のチャネルで、信号を送信しうる。
【００３５】
１つの特定の例では、電力係数決定構成要素２１０は、１または複数のＨＡＲＱフィードバック・チャネルの係数が１になるように、電力係数のセットを取得しうる。これは、必要とされる電力が、１または複数のＨＡＲＱフィードバック・チャネルへ割り当てられるべきであることを示す。したがって、電力調節構成要素２１２は、必要チャネル電力決定構成要素２０８によって決定されたように、実質的に全ての必要とされる送信電力を用いて、１または複数のＨＡＲＱフィードバック・チャネルを送信する。さらに、その他の制御チャネルのうちの少なくとも一部もまた、１である電力係数を有しうると認識されるべきであるが、電力係数決定構成要素２１０によって取得された電力係数のセットは、送信を効率的に優先付けるために、１または複数の他の制御チャネルのために、１未満の電力係数を指定しうる。この例では、デバイス２０２が電力制限されている場合、電力調節構成要素２１２は、決定された必要チャネル送信電力にこの係数を適用しうる。そして、送信構成要素２１４は、調節された送信電力にしたがって、チャネルを送信しうる。
【００３６】
例えば、電力係数のセットは、１または複数の制御チャネルのためのものよりも、データ・チャネルのためのものの方が小さくなりうる。これは、１または複数の制御チャネルと比べて、データ・チャネルへ必要とされているものよりも、小さな送信電力部分を割り当てるという結果になりうる。さらに、制御チャネルの一部のための電力係数は、制御チャネルの別の一部のためのものよりも小さくなり得る。別の例では、電力係数決定構成要素２１０は、ＨＡＲＱフィードバック・チャネルのための電力係数を取得せず、送信構成要素２１４は、必要とされる電力を用いて、このチャネルを送信しうる。さらに、例えば、電力係数のセットは、（例えば、ＨＡＲＱフィードバック・チャネルが、必要とされる電力で送信されうることと、係数が、キャリアのために、残りのチャネルに適用されうることとを除いて）マルチキャリア構成におけるチャネル毎に指定されうるか、および／または、各キャリアについて、各チャネルのために指定され、電力調節構成要素２１２によって各チャネルのために適用されうる。電力係数決定構成要素２１０は、ハードコーディング、設定、仕様、基地局２０４、別のデバイス、および／または、その他から、電力係数のセットを取得しうることが認識されるべきである。
【００３７】
図３−４に示すように、電力が制限されたデバイスのために、１または複数のチャネルのための送信電力を調節することに関連する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００３８】
図３を参照して、１または複数の電力係数にしたがって、送信電力を調節することを容易にする方法３００の例が示される。３０２では、複数のチャネルのうちの１または複数の、必要とされる電力が決定されうる。例えば、必要とされる電力は、基地局から受信された１または複数の電力コマンド、ハードコーディング、仕様、設定等に少なくとも部分的に基づいて決定されうる。３０４では、複数のチャネルのために、電力係数のセットが決定されうる。これは、例えば、設定、仕様、ハードコーディング、および／またはその他から電力係数のセットを取得することと、（例えば、必要とされる電力を、制御チャネルおよび／または再送信フィードバック・チャネルへ割り当てるため、および、残りのチャネル間で、送信電力の残りを分配するために、）１または複数の電力割当スキームに少なくとも部分的に基づいて電力係数を決定すること等を含みうる。さらに、記載されているように、電力係数のセットは、制御チャネルおよびデータ・チャネルについて、および／または、異なるタイプの制御チャネル間等で異なりうる。３０６では、電力係数のセットに少なくとも部分的に基づいて、複数のチャネルのうちの１または複数のうちの少なくとも１つの、必要とされる電力が調節されうる。さらに、記載されているように、複数のチャネルは、複数のキャリアに対応しうる。
【００３９】
図４に移って、送信電力が制限されている場合、チャネルへの送信電力を割り当てることを容易にする方法４００の例が示される。４０２では、送信電力が制限されていると判定されうる。記載されているように、これは、利用可能な送信電力を、送信されるべきすべてのチャネルのために必要とされる電力と比較することを含みうる。ここでは、利用可能な送信電力が低い場合、送信電力が制限される。４０４では、必要とされる電力が、１または複数の制御チャネルに割り当てられうる。これは、少なくとも、記載されているような再送信フィードバック・チャネル、および／または、１または複数のその他の制御チャネルへ、必要とされる電力を割り当てることを含みうる。さらに、これは、複数のキャリアのための複数の再送信フィードバック・チャネルへ、必要とされる電力を割り当てることを含みうる。４０６では、必要とされる電力の一部が、１または複数の別の制御チャネルまたはデータ・チャネルへ割り当てられうる。記載されているように、これは、１または複数の別の制御チャネルおよび／またはデータ・チャネルの実質的に一様な電力低減を提供するために送信電力を割り当てること、および電力係数にしたがって送信電力を割り当てること等を含みうる。
【００４０】
本明細書に記載された１または複数の態様によれば、推論は、記載されているように、１または複数のチャネルへ割り当てるための送信電力を決定すること、および電力係数を決定すること等に関連してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４１】
図５は、１または複数のチャネルのための送信電力を調節することを容易にするモバイル・デバイス５００の例示である。モバイル・デバイス５００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機５０２を備えうる。受信機５０２は、受信したシンボルを復調し、これらをチャネル推定のためにプロセッサ５０６へ提供する復調器５０４を備えうる。プロセッサ５０６は、受信機５０２によって受信された情報を分析すること、および／または、送信機５２０による送信のための情報を生成することに特化されたプロセッサ、モバイル・デバイス５００の１または複数の構成要素を制御するプロセッサ、および／または、受信機５０２によって受信された情報を分析することと、送信機５２０による送信のための情報を生成することと、モバイル・デバイス５００のうちの１または複数の構成要素を制御することとのすべて行うプロセッサでありうる。
【００４２】
モバイル・デバイス５００はさらに、プロセッサ５０６に動作可能に接続されたメモリ５０８を備えうる。このメモリ５０８は、送信されるべきデータ、受信されたデータ、利用可能なチャネルに関連する情報、分析された信号および／または干渉強度に関連付けられたデータ、割り当てられたチャネルや電力やレート等に関連する情報、および、チャネルの推定とチャネルを介した通信のために適切なその他任意の情報を格納しうる。メモリ５０８はさらに、（例えば、パフォーマンス・ベース、キャパシティ・ベース等での）チャネルの推定および／または利用に関連付けられたアルゴリズムおよび／またはプロトコルを格納しうる。
【００４３】
本明細書に記載されたデータ・ストア（例えば、メモリ５０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ(登録商標)）のような多くの形態で利用可能である。主題となるシステムおよび方法のメモリ５０８は、限定される訳ではないが、これらおよびその他任意の適切なタイプのメモリを備えることが意図される。
【００４４】
プロセッサ５０６はさらに、オプションとして、電力制限判定構成要素２０６に類似しうる電力制限判定構成要素５１０と、必要チャネル電力決定構成要素２０８に類似しうる必要チャネル電力決定構成要素５１２とに接続されうる。プロセッサ５０６はさらに、オプションとして、電力係数決定構成要素２１０に類似しうる電力係数決定構成要素５１４と、電力調節構成要素２１２に類似しうる電力調節構成要素５１６とに接続されうる。モバイル・デバイス５００はさらに、信号を変調する変調器５１８と、この信号を例えば基地局、別のモバイル・デバイス等へ送信する送信機５２０とを備える。プロセッサ５０６と別に示されているが、電力制限判定構成要素５１０、必要チャネル電力決定構成要素５１２、電力係数決定構成要素５１４、電力調節構成要素５１６、復調器５０４、および／または、変調器５１８は、プロセッサ５０６または複数のプロセッサ（図示せず）の一部でありうることが認識されるべきである。
【００４５】
図６を参照して、送信電力が制限されている場合、１または複数のチャネルのための送信電力を調節するシステム６００が例示される。例えば、システム６００は、基地局、モバイル・デバイス等の中に少なくとも部分的に存在しうる。システム６００は、プロセッサ、ソフトウェア、またはこれらの組み合わせ（例えば、ファームウェア）によって実現される機能を表す機能ブロックでありうる機能ブロックを含むものとして示されることが認識されるべきである。システム６００は、連携して動作しうる電子構成要素の論理グループ６０２を含む。例えば、論理グループ６０２は、複数のチャネルのうちの１または複数の、必要とされる送信電力を決定するための電子構成要素６０４を含みうる。例えば、必要とされる電力は、記載されているように、基地局から受信されたコマンド、仕様、設定、ハードコーディング、および／または、その他に少なくとも部分的に基づいて決定されうる。さらに、論理グループ６０２は、複数のチャネルのための電力係数のセットを決定するための電子構成要素６０６を備えうる。記載されているように、電力係数は、基地局または他のデバイスから受信された信号、仕様、設定、ハードコーディングから取得されうるか、あるいは、１または複数の電力割当スキームに少なくとも部分的に基づいて決定されうる。
【００４６】
さらに、論理グループ６０２は、電力係数のセットに少なくとも部分的に基づいて、複数のチャネルのうちの１または複数のうちの少なくとも１つの、必要とされる送信電力を調節するための電子構成要素６０８を備えうる。例えば、態様では、電子構成要素６０４は、前述したように、必要チャネル電力決定構成要素２０８を含みうる。さらに、例えば、電子構成要素６０６は、態様において、前述したように、電力係数決定構成要素２１０を含みうる。さらに、電子構成要素６０８は、態様において、電力割当構成要素１０６、電力調節構成要素２１２等を含みうる。さらに、システム６００は、電子構成要素６０４，６０６，６０８に関連付けられた機能を実行するための命令群を保持するメモリ６１０を含みうる。メモリ６１０の外側にあるとして示されているが、電子構成要素６０４，６０６，６０８のうちの１または複数は、メモリ６１０内に存在しうることが理解されるべきである。
【００４７】
一例において、電子構成要素６０４，６０６，６０８は、少なくとも１つのプロセッサを含みうる。または、電子構成要素６０４，６０６，または６０８おのおのは、少なくとも１つのプロセッサの対応するモジュールでありうる。さらに、追加例または代替例において、電子構成要素６０４，６０６，６０８は、コンピュータ読取可能な媒体を備えるコンピュータ・プログラム製品でありうる。ここで、おのおのの電子構成要素６０４，６０６，または６０８は、対応するコードでありうる。
【００４８】
図７に示すように、本明細書に示されたさまざまな実施形態にしたがう無線通信システム７００が例示されている。システム７００は、複数のアンテナ・グループを含みうる基地局７０２を含む。例えば、１つのアンテナ・グループは、アンテナ７０４およびアンテナ７０６を含むことができ、別のグループはアンテナ７０８およびアンテナ７１０を備えることができ、さらに別のグループはアンテナ７１２およびアンテナ７１４を含むことができる。おのおののアンテナ・グループについて２本のアンテナしか例示されていないが、２本より多いアンテナ、または２本より少ないアンテナも、各グループのために利用されうる。基地局７０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００４９】
基地局７０２は、例えばモバイル・デバイス７１６およびモバイル・デバイス７２２のような１または複数のモバイル・デバイスと通信しうる。しかしながら、基地局７０２は、モバイル・デバイス７１６およびモバイル・デバイス７２２に類似した実質的に任意の数のモバイル・デバイスと通信しうることが理解されるべきである。モバイル・デバイス７１６，７２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム７００を介して通信するのに適切なその他任意のデバイスでありうる。図示するように、モバイル・デバイス７１６は、アンテナ７１２およびアンテナ７１４と通信している。ここで、アンテナ７１２およびアンテナ７１４は、順方向リンク７１８によってモバイル・デバイス７１６へ情報を送信し、逆方向リンク７２０によってモバイル・デバイス７１６から情報を受信する。さらに、モバイル・デバイス７２２はアンテナ７０４およびアンテナ７０６と通信している。ここで、アンテナ７０４およびアンテナ７０６は、順方向リンク７２４でモバイル・デバイス７２２へ情報を送信し、逆方向リンク７２６でモバイル・デバイス７２２から情報を受信する。周波数分割デュプレクス（ＦＤＤ）システムでは、例えば、順方向リンク７１８は、逆方向リンク７２０によって使用されるものとは異なる周波数帯域を使用し、順方向リンク７２４は、逆方向リンク７２６によって使用されるものとは異なる周波数帯域を使用しうる。さらに、時分割デュプレクス（ＴＤＤ）システムでは、順方向リンク７１８および逆方向リンク７２０は、共通の周波数帯域を使用し、順方向リンク７２４および逆方向リンク７２６は、共通の周波数帯域を使用しうる。
【００５０】
通信するように指定された領域および／またはアンテナのおのおののグループは、基地局７０２のセクタと称されうる。例えば、基地局７０２によってカバーされる領域のセクタ内のアクセス端末に通信するように、複数のアンテナが設計されうる。順方向リンク７１８および順方向リンク７２４による通信では、基地局７０２の送信アンテナは、モバイル・デバイス７１６およびモバイル・デバイス７２２のための順方向リンク７１８および順方向リンク７２４の信号対雑音比を改善するためにビームフォーミングを適用しうる。また、基地局７０２が、関連付けられた有効通信範囲にランダムに散在したモバイル・デバイス７１６，７２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス７１６，７２２は、図示するように、ピア・トゥ・ピアまたはアド・ホック技術を用いて互いにダイレクトに通信しうる。例によれば、システム７００は、複数入力複数出力（ＭＩＭＯ）通信システムでありうる。
【００５１】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。それに加えて、基地局８１０および／またはモバイル・デバイス８５０は、その間の無線通信を容易にするために、本明細書に記載されたシステム（図１−２、６−７）、モバイル・デバイス（図５）、および／または方法（図３−４）を適用しうることが認識されるべきである。例えば、本明細書に記載されたシステムおよび／または方法の構成要素または機能は、以下に記載されるプロセッサ８３０および／またはプロセッサ８７０またはメモリ８３２および／またはメモリ８７２の一部でありうるか、および／または、開示された機能を実行するためにプロセッサ８３０および／またはプロセッサ８７０によって実行されうる。
【００５２】
基地局８１０では、多くのデータ・ストリームのためのトラフィック・データが、データ・ソース８１２から送信（ＴＸ）データ・プロセッサ８１４へ提供される。例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符号化スキームに基づいて符号化し、インタリーブして、符号化されたデータを提供する。
【００５３】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ８３０によって実行または提供される指示によって決定されうる。
【００５４】
データ・ストリームの変調シンボルは、（例えば、ＯＦＤＭのために）変調シンボルを処理するＴＸ  ＭＩＭＯプロセッサ８２０に提供されうる。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００５５】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００５６】
モバイル・デバイス８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５７】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００５８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００５９】
基地局８１０では、モバイル・デバイス８５０からの変調信号が、アンテナ８２４によって受信され、受信機８２２によって調整され、復調器８４０によって復調され、ＲＸデータ・プロセッサ８４２によって処理されて、モバイル・デバイス８５０によって送信された逆方向リンク・メッセージが抽出される。さらに、プロセッサ８３０は、ビームフォーミング重みを決定するためにどのプリコーディング行列を使用するかを決定するために、この抽出されたメッセージを処理する。
【００６０】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行しうる。
【００６１】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいは順序回路を用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、上述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。
【００６２】
さらに、ＡＳＩＣは、ユーザ端末に存在しうる。あるいは、プロセッサと記憶媒体とが、ユーザ端末内のディスクリートな構成要素として存在しうる。
【００６３】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００６４】
前述した開示は、例示的な態様および／または実施形態を開示しているが、さまざまな変更および修正が、特許請求の範囲で定義されたような説明された態様および／または実施形態の範囲から逸脱することなくなされうる  ことが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013518470.tif 000003
【図２】
2013518470.tif 000004
【図３】
2013518470.tif 000005
【図４】
2013518470.tif 000006
【図５】
2013518470.tif 000007
【図６】
2013518470.tif 000008
【図７】
2013518470.tif 000009
【図８】
2013518470.tif 000010
【国際調査報告】
2013518470.tif 000011
2013518470.tif 000012
2013518470.tif 000013